【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
内部空間を有する筐体と、
前記筐体内に設けられた、前記内部空間を第１の空間と第２の空間とに分割する、少なくとも一部が振動膜で構成された仕切り部材と、
前記振動膜の振動に基づいて電気信号を出力する電気信号出力回路と、
を含み、
前記筐体には、前記第１の空間と前記筐体の外部空間とを連通する第１の貫通穴と、前記第２の空間と前記筐体の外部空間とを連通する第２の貫通穴とが形成され、
前記仕切部材は、前記第１の貫通穴から前記振動膜までの距離と、前記第２の貫通穴から前記振動膜までの距離とが等しくならないように配置されている、マイクロフォンユニット。
【請求項２】
請求項１に記載のマイクロフォンユニットにおいて、
前記第１の貫通穴から前記振動膜までの距離と、
前記第１の貫通穴から前記第２の貫通穴までの距離がほぼ等しくなるように、前記仕切り部材が配置されている、マイクロフォンユニット。
【請求項３】
請求項１又は２に記載のマイクロフォンユニットにおいて、
前記第１の貫通穴および前記第２の貫通穴は、
前記第１の貫通穴と前記第２の貫通穴とを結ぶ直線上から入射し、ユーザ音声と前記ユーザ音声に比べて音源が遠い位置に存在する雑音とを含む音圧に対して、
前記雑音の波長において、
前記振動膜の一方の面に入射する前記雑音の音圧に対する前記振動膜の一方及び他方の面との差分音圧に含まれる前記雑音の位相成分の強度を示す雑音強度比が１以下となるような中心間距離でそれぞれ配置されている、マイクロフォンユニット。
【請求項４】
請求項１ないし３のいずれか１項に記載のマイクロフォンユニットにおいて、
前記仕切り部材は、
音波を伝搬する媒質が、前記筐体の内部で、前記第１及び第２の空間の間を移動しないように設けられている、マイクロフォンユニット。
【請求項５】
請求項１ないし４のいずれか１項に記載のマイクロフォンユニットにおいて、
前記筐体の外形は多面体となっており、
前記第１及び第２の貫通穴は、前記多面体の１つの面に形成されている、マイクロフォンユニット。
【請求項６】
請求項５に記載のマイクロフォンユニットにおいて、
前記振動膜は、
法線が、前記面に平行になるように配置されている、マイクロフォンユニット。
【請求項７】
請求項５に記載のマイクロフォンユニットにおいて、
前記振動膜は、
法線が、前記面と直交するように配置されている、マイクロフォンユニット。
【請求項８】
請求項１ないし７のいずれか１項に記載のマイクロフォンユニットにおいて、
前記振動膜は、
前記第１又は第２の貫通穴と重複しないように配置されている、マイクロフォンユニット。
【請求項９】
請求項１ないし８のいずれか１項に記載のマイクロフォンユニットにおいて、
前記振動膜は、
前記第１又は第２の貫通穴の側方に配置されている、マイクロフォンユニット。
【請求項１０】
請求項１ないし９のいずれか１項に記載のマイクロフォンユニットにおいて、
前記仕切り部材は、
前記第１及び第２の空間の容積が同じになるように配置されている、マイクロフォンユニット。
【請求項１１】
請求項１ないし１０のいずれか１項に記載のマイクロフォンユニットにおいて、
前記第１及び第２の貫通穴の中心間距離が５．２ｍｍ以下である、マイクロフォンユニット。
【請求項１２】
請求項１ないし１１のいずれか１項に記載のマイクロフォンユニットにおいて、
前記電気信号出力回路の少なくとも一部は、前記筐体の内部に形成されている、マイクロフォンユニット。
【請求項１３】
請求項１ないし１２のいずれか１項に記載のマイクロフォンユニットにおいて、
前記筐体は、
前記内部空間と前記筐体の外部空間とを電磁的に遮蔽する遮蔽構造となっている、マイクロフォンユニット。
【請求項１４】
内部空間を有する筐体と、前記筐体内に設けられた、前記内部空間を第１の空間と第２の空間とに分割する、少なくとも一部が振動膜で構成された仕切り部材と、前記振動膜の振動に基づいて電気信号を出力する電気信号出力回路と、を含み、前記筐体には、前記第１の空間と前記筐体の外部空間とを連通する第１の貫通穴と、前記第２の空間と前記筐体の外部空間とを連通する第２の貫通穴とが形成され、前記仕切部材は、前記第１の貫通穴から前記振動膜までの距離と、前記第２の貫通穴から前記振動膜までの距離とが等しくならないように配置されている、マイクロフォンユニットが実装された、接話型の音声入力装置。
【請求項１５】
請求項１４記載の音声入力装置において、
前記第１の貫通穴から前記振動膜までの距離と、
前記第１の貫通穴から前記第２の貫通穴までの距離がほぼ等しくなるように、前記仕切り部材が配置されている音声入力装置。
【請求項１６】
内部空間を有する筐体と、前記筐体内に設けられた、前記内部空間を第１の空間と第２の空間とに分割する、少なくとも一部が振動膜で構成された仕切り部材と、前記振動膜の振動に基づいて電気信号を出力する電気信号出力回路と、を含み、前記筐体には、前記第１の空間と前記筐体の外部空間とを連通する第１の貫通穴と、前記第２の空間と前記筐体の外部空間とを連通する第２の貫通穴とが形成され、前記仕切部材は、前記第１の貫通穴から前記振動膜までの距離と、前記第２の貫通穴から前記振動膜までの距離とが等しくならないように配置されているマイクロフォンユニットと、
前記電気信号に基づいて、前記マイクロフォンユニットに入射した音声の解析処理を行う解析処理部と、を含む情報処理システム。
【請求項１７】
請求項１６記載の情報処理システムにおいて、
前記第１の貫通穴から前記振動膜までの距離と、
前記第１の貫通穴から前記第２の貫通穴までの距離がほぼ等しくなるように、前記仕切り部材が配置されている情報処理システム。
【請求項１８】
内部空間を有する筐体と、
前記筐体内に設けられた、前記内部空間を第１の空間と第２の空間とに分割する、少なくとも一部が振動膜で構成された仕切り部材と、
前記振動膜の振動に基づいて電気信号を出力する電気信号出力回路と、
を含み、
前記筐体には、前記第１の空間と前記筐体の外部空間とを連通する第１の貫通穴と、前記第２の空間と前記筐体の外部空間とを連通する第２の貫通穴とが形成されたマイクロフォンユニットを製造する方法であって、
前記第１の貫通穴から前記振動膜までの距離と、前記第２の貫通穴から前記振動膜までの距離とが等しくならないように前記仕切部材を配置する手順を含む、マイクロフォンユニットの製造方法。
【請求項１９】
請求項１８に記載のマイクロフォンユニットの製造方法において、
前記仕切部材を配置する手順において、
前記第１の貫通穴から前記振動膜までの距離と、前記第１の貫通穴から前記第２の貫通穴までの距離とがほぼ等しくなるように前記仕切部材を配置する、マイクロフォンユニットの製造方法。
【請求項２０】
請求項１８又は１９に記載のマイクロフォンユニットの製造方法において、
（ａ）前記第１の貫通穴と前記第２の貫通穴とを結ぶ直線上から入射し、ユーザ音声と前記ユーザ音声に比べて音源が遠い位置に存在する雑音とを含む音圧に対して、前記第１の貫通穴及び前記第２の貫通穴の中心間距離Δｒと前記雑音の波長λとの比率を示すΔｒ／λの値と、前記振動膜の一方の面に入射する前記雑音の音圧に対する前記振動膜の一方及び他方の面との差分音圧に含まれる前記雑音の位相成分の強度を示す雑音強度比との対応関係を示すデータを用意する手順と、
（ｂ）前記データに基づいて、前記Δｒ／λの値を設定する手順と、
（ｃ）設定された前記Δｒ／λの値、及び、前記雑音の波長に基づいて、前記中心間距離を設定する手順と、
を含む、マイクロフォンユニットの製造方法。
【請求項２１】
請求項２０に記載のマイクロフォンユニットの製造方法において、
前記手順（ｂ）では、
前記雑音の波長において、前記雑音強度比が１以下となるように前記Δｒ／λの値を設定する、マイクロフォンユニットの製造方法。
【請求項２２】
請求項２０又は２１に記載のマイクロフォンユニットの製造方法において、
前記手順（ｃ）では、
周波数が１ｋＨｚとなる前記雑音の波長に基づいて、前記中心間距離を設定する、マイクロフォンユニットの製造方法。
【手続補正２】
【補正対象書類名】明細書
【補正対象項目名】発明の名称
【補正方法】変更
【補正の内容】
【発明の名称】マイクロフォンユニット、音声入力装置、情報処理システム及びマイクロフォンユニットの製造方法